【手続補正書】
【提出日】平成26年10月27日(2014.10.27)
【手続補正１】
【補正対象書類名】明細書
【補正対象項目名】００１５
【補正方法】変更
【補正の内容】
【００１５】
前記文書秘匿システムは、さらに、
各利用者に与えられた閲覧レベルを記憶する利用者情報記憶部と、
特定の利用者に与えられた閲覧レベルを閲覧者レベルとして前記利用者情報記憶部から取得する閲覧者レベル取得部とを備え、
前記秘匿単語記憶部は、各秘匿単語に対応付けて特定の秘匿レベルを記憶し、
前記秘匿単語登録部は、前記文書ファイルから抽出した単語のうち前記秘匿単語記憶部に記憶されている秘匿単語と同じ単語を登録済み単語として選別し、選別した登録済み単語の秘匿レベルを前記秘匿単語記憶部から取得し、取得した秘匿レベルのうちいずれかの秘匿レベルを前記新たな秘匿単語の秘匿レベルとして前記秘匿単語記憶部に記憶し、
前記秘匿ファイル生成部は、前記閲覧ファイルに含まれる単語のうち前記秘匿単語記憶部に記憶されている秘匿単語と同じ単語を選別し、選別した単語と同じ秘匿単語に対応付けられた秘匿レベルを前記秘匿単語記憶部から取得し、取得した秘匿レベルと前記閲覧者レベル取得部によって取得された閲覧者レベルとを比較し、当該秘匿レベルが前記閲覧者レベルより高い単語を秘匿して前記秘匿ファイルを生成する。
【手続補正２】
【補正対象書類名】明細書
【補正対象項目名】００２５
【補正方法】変更
【補正の内容】
【００２５】
前記文書秘匿システムは、さらに、
各利用者に与えられた閲覧レベルを記憶する利用者情報記憶部を備え、
前記文書秘匿プログラムは、
特定の利用者に与えられた閲覧レベルを閲覧者レベルとして前記利用者情報記憶部から取得する閲覧者レベル取得部として前記文書秘匿システムを機能させ、
前記秘匿単語記憶部は、各秘匿単語に対応付けて特定の秘匿レベルを記憶し、
前記秘匿単語登録部は、前記文書ファイルから抽出した単語のうち前記秘匿単語記憶部に記憶されている秘匿単語と同じ単語を登録済み単語として選別し、選別した登録済み単語の秘匿レベルを前記秘匿単語記憶部から取得し、取得した秘匿レベルのうちいずれかの秘匿レベルを前記新たな秘匿単語の秘匿レベルとして前記秘匿単語記憶部に記憶し、
前記秘匿ファイル生成部は、前記閲覧ファイルに含まれる単語のうち前記秘匿単語記憶部に記憶されている秘匿単語と同じ単語を選別し、選別した単語と同じ秘匿単語に対応付けられた秘匿レベルを前記秘匿単語記憶部から取得し、取得した秘匿レベルと前記閲覧者レベル取得部によって取得された閲覧者レベルとを比較し、当該秘匿レベルが前記閲覧者レベルより高い単語を秘匿して前記秘匿ファイルを生成する。
【手続補正３】
【補正対象書類名】特許請求の範囲
【補正対象項目名】全文
【補正方法】変更
【補正の内容】
【特許請求の範囲】
【請求項１】
秘匿される秘匿単語を記憶する秘匿単語記憶部と、
複数の単語を含んだ文書ファイルを記憶する文書ファイル記憶部と、
前記文書ファイル記憶部に記憶される文書ファイルから当該文書ファイルに含まれる単語を抽出し、抽出した単語のうち前記秘匿単語記憶部に記憶されている秘匿単語と異なる単語を新たな秘匿単語として前記秘匿単語記憶部に記憶する秘匿単語登録部と、
特定の文書ファイルを閲覧ファイルとして前記文書ファイル記憶部から取得する閲覧ファイル取得部と、
前記閲覧ファイル取得部によって取得された閲覧ファイルに含まれる単語のうち前記秘匿単語記憶部に記憶されている秘匿単語と同じ単語を秘匿して秘匿ファイルを生成する秘匿ファイル生成部と、
前記秘匿ファイル生成部によって生成された秘匿ファイルを出力する秘匿ファイル出力部と
を備えることを特徴とする文書秘匿システム。
【請求項２】
前記秘匿ファイル生成部は、前記閲覧ファイルに含まれる単語のうち前記秘匿単語記憶部に記憶されている秘匿単語と同じ単語を所定の秘匿表記に置換して当該単語を秘匿することを特徴とする請求項１記載の文書秘匿システム。
【請求項３】
前記秘匿単語登録部は、前記文書ファイルから所定の品詞に属する単語を抽出する
ことを特徴とする請求項１または請求項２記載の文書秘匿システム。
【請求項４】
前記秘匿単語登録部は、前記文書ファイルから固有名詞と数名詞との少なくともいずれかの単語を抽出する
ことを特徴とする請求項３記載の文書秘匿システム。
【請求項５】
前記秘匿単語登録部は、前記文書ファイルから数値と単位とを含んだ単語を抽出する
ことを特徴とする請求項１または請求項２記載の文書秘匿システム。
【請求項６】
前記文書秘匿システムは、さらに、
開示される開示単語を記憶する開示単語記憶部を備え、
前記秘匿単語登録部は、前記文書ファイルから抽出した単語のうち前記秘匿単語記憶部に記憶されている秘匿単語と異なる単語であって且つ前記開示単語記憶部に記憶されている開示単語と異なる単語を前記新たな秘匿単語として前記秘匿単語記憶部に記憶する
ことを特徴とする請求項１から請求項５いずれかに記載の文書秘匿システム。
【請求項７】
前記秘匿単語記憶部は、各秘匿単語に対応付けて当該秘匿単語と当該秘匿単語を含んだ閲覧ファイルとのいずれを秘匿するかを示す秘匿種別を記憶し、
前記秘匿単語登録部は、前記秘匿単語記憶部に記憶されている秘匿種別のうち前記文書ファイルから抽出した単語と同じ秘匿単語の秘匿種別を取得し、取得した秘匿種別のうちいずれかの秘匿種別を前記新たな秘匿単語の秘匿種別として前記秘匿単語記憶部に記憶し、
前記秘匿ファイル生成部は、前記秘匿単語記憶部に記憶されている秘匿種別のうち前記閲覧ファイルに含まれる単語と同じ秘匿単語の秘匿種別を取得し、取得した秘匿種別に基づいて各秘匿単語と前記閲覧ファイルとのいずれを秘匿するか判定し、各秘匿単語を秘匿すると判定した場合に前記秘匿ファイルを生成する
ことを特徴とする請求項１から請求項６いずれかに記載の文書秘匿システム。
【請求項８】
前記秘匿単語記憶部は、特定の秘匿単語を組み合わせた秘匿組み合わせを記憶し、
前記秘匿単語登録部は、前記文書ファイルから抽出した単語に基づいて前記秘匿単語記憶部に記憶されている秘匿組み合わせと同じ単語の組み合わせが前記文書ファイルに含まれているか否かを判定し、前記秘匿組み合わせと同じ単語の組み合わせが前記文書ファイルに含まれていると判定した場合に前記新たな秘匿単語を前記秘匿単語記憶部に記憶することを特徴とする請求項１から請求項７いずれかに記載の文書秘匿システム。
【請求項９】
前記文書秘匿システムは、さらに、
各利用者に与えられた閲覧レベルを記憶する利用者情報記憶部と、
特定の利用者に与えられた閲覧レベルを閲覧者レベルとして前記利用者情報記憶部から取得する閲覧者レベル取得部とを備え、
前記秘匿単語記憶部は、各秘匿単語に対応付けて特定の秘匿レベルを記憶し、
前記秘匿単語登録部は、前記文書ファイルから抽出した単語のうち前記秘匿単語記憶部に記憶されている秘匿単語と同じ単語を登録済み単語として選別し、選別した登録済み単語の秘匿レベルを前記秘匿単語記憶部から取得し、取得した秘匿レベルのうちいずれかの秘匿レベルを前記新たな秘匿単語の秘匿レベルとして前記秘匿単語記憶部に記憶し、
前記秘匿ファイル生成部は、前記閲覧ファイルに含まれる単語のうち前記秘匿単語記憶部に記憶されている秘匿単語と同じ単語を選別し、選別した単語と同じ秘匿単語に対応付けられた秘匿レベルを前記秘匿単語記憶部から取得し、取得した秘匿レベルと前記閲覧者レベル取得部によって取得された閲覧者レベルとを比較し、当該秘匿レベルが前記閲覧者レベルより高い単語を秘匿して前記秘匿ファイルを生成する
ことを特徴とする請求項１から請求項８いずれかに記載の文書秘匿システム。
【請求項１０】
秘匿される秘匿単語を記憶する秘匿単語記憶部と、
文書ファイルから前記文書ファイルに含まれる単語を抽出し、抽出した単語のうち前記秘匿単語記憶部に記憶されている秘匿単語と異なる単語を新たな秘匿単語として前記秘匿単語記憶部に記憶する秘匿単語登録部と
を備えることを特徴とする文書秘匿装置。
【請求項１１】
秘匿される秘匿単語を記憶する秘匿単語記憶部と、複数の単語を含んだ文書ファイルを記憶する文書ファイル記憶部とを備える文書秘匿システムを機能させる文書秘匿プログラムであって、
前記文書ファイル記憶部に記憶される文書ファイルから当該文書ファイルに含まれる単語を抽出し、抽出した単語のうち前記秘匿単語記憶部に記憶されている秘匿単語と異なる単語を新たな秘匿単語として前記秘匿単語記憶部に記憶する秘匿単語登録部と、
特定の文書ファイルを閲覧ファイルとして前記文書ファイル記憶部から取得する閲覧ファイル取得部と、
前記閲覧ファイル取得部によって取得された閲覧ファイルに含まれる単語のうち前記秘匿単語記憶部に記憶されている秘匿単語と同じ単語を秘匿して秘匿ファイルを生成する秘匿ファイル生成部と、
前記秘匿ファイル生成部によって生成された秘匿ファイルを出力する秘匿ファイル出力部として前記文書秘匿システムを機能させる
ことを特徴とする文書秘匿プログラム。
【請求項１２】
前記秘匿ファイル生成部は、前記閲覧ファイルに含まれる単語のうち前記秘匿単語記憶部に記憶されている秘匿単語と同じ単語を所定の秘匿表記に置換して当該単語を秘匿することを特徴とする請求項１１記載の文書秘匿プログラム。
【請求項１３】
前記秘匿単語登録部は、前記文書ファイルから所定の品詞に属する単語を抽出する
ことを特徴とする請求項１１または請求項１２記載の文書秘匿プログラム。
【請求項１４】
前記秘匿単語登録部は、前記文書ファイルから固有名詞と数名詞との少なくともいずれかの単語を抽出する
ことを特徴とする請求項１３記載の文書秘匿プログラム。
【請求項１５】
前記秘匿単語登録部は、前記文書ファイルから数値と単位とを含んだ単語を抽出する
ことを特徴とする請求項１１または請求項１２記載の文書秘匿プログラム。
【請求項１６】
前記文書秘匿システムは、さらに、
開示される開示単語を記憶する開示単語記憶部を備え、
前記秘匿単語登録部は、前記文書ファイルから抽出した単語のうち前記秘匿単語記憶部に記憶されている秘匿単語と異なる単語であって且つ前記開示単語記憶部に記憶されている開示単語と異なる単語を前記新たな秘匿単語として前記秘匿単語記憶部に記憶することを特徴とする請求項１１から請求項１５いずれかに記載の文書秘匿プログラム。
【請求項１７】
前記秘匿単語記憶部は、各秘匿単語に対応付けて当該秘匿単語と当該秘匿単語を含んだ閲覧ファイルとのいずれを秘匿するかを示す秘匿種別を記憶し、
前記秘匿単語登録部は、前記秘匿単語記憶部に記憶されている秘匿種別のうち前記文書ファイルから抽出した単語と同じ秘匿単語の秘匿種別を取得し、取得した秘匿種別のうちいずれかの秘匿種別を前記新たな秘匿単語の秘匿種別として前記秘匿単語記憶部に記憶し、
前記秘匿ファイル生成部は、前記秘匿単語記憶部に記憶されている秘匿種別のうち前記閲覧ファイルに含まれる単語と同じ秘匿単語の秘匿種別を取得し、取得した秘匿種別に基づいて各秘匿単語と前記閲覧ファイルとのいずれを秘匿するか判定し、各秘匿単語を秘匿すると判定した場合に前記秘匿ファイルを生成する
ことを特徴とする請求項１１から請求項１６いずれかに記載の文書秘匿プログラム。
【請求項１８】
前記秘匿単語記憶部は、特定の秘匿単語を組み合わせた秘匿組み合わせを記憶し、
前記秘匿単語登録部は、前記文書ファイルから抽出した単語に基づいて前記秘匿単語記憶部に記憶されている秘匿組み合わせと同じ単語の組み合わせが前記文書ファイルに含まれているか否かを判定し、前記秘匿組み合わせと同じ単語の組み合わせが前記文書ファイルに含まれていると判定した場合に前記新たな秘匿単語を前記秘匿単語記憶部に記憶することを特徴とする請求項１１から請求項１７いずれかに記載の文書秘匿プログラム。
【請求項１９】
前記文書秘匿システムは、さらに、
各利用者に与えられた閲覧レベルを記憶する利用者情報記憶部を備え、
前記文書秘匿プログラムは、
特定の利用者に与えられた閲覧レベルを閲覧者レベルとして前記利用者情報記憶部から取得する閲覧者レベル取得部として前記文書秘匿システムを機能させ、
前記秘匿単語記憶部は、各秘匿単語に対応付けて特定の秘匿レベルを記憶し、
前記秘匿単語登録部は、前記文書ファイルから抽出した単語のうち前記秘匿単語記憶部に記憶されている秘匿単語と同じ単語を登録済み単語として選別し、選別した登録済み単語の秘匿レベルを前記秘匿単語記憶部から取得し、取得した秘匿レベルのうちいずれかの秘匿レベルを前記新たな秘匿単語の秘匿レベルとして前記秘匿単語記憶部に記憶し、
前記秘匿ファイル生成部は、前記閲覧ファイルに含まれる単語のうち前記秘匿単語記憶部に記憶されている秘匿単語と同じ単語を選別し、選別した単語と同じ秘匿単語に対応付けられた秘匿レベルを前記秘匿単語記憶部から取得し、取得した秘匿レベルと前記閲覧者レベル取得部によって取得された閲覧者レベルとを比較し、当該秘匿レベルが前記閲覧者レベルより高い単語を秘匿して前記秘匿ファイルを生成する
ことを特徴とする請求項１１から請求項１８いずれかに記載の文書秘匿プログラム。
【請求項２０】
秘匿される秘匿単語を記憶する秘匿単語記憶部を備える文書秘匿装置を機能させる文書秘匿プログラムであって、
文書ファイルから前記文書ファイルに含まれる単語を抽出し、抽出した単語のうち前記秘匿単語記憶部に記憶されている秘匿単語と異なる単語を新たな秘匿単語として前記秘匿単語記憶部に記憶する秘匿単語登録部として前記文書秘匿装置を機能させる
ことを特徴とする文書秘匿プログラム。
【請求項２１】
秘匿される秘匿単語を記憶する秘匿単語記憶部と、複数の単語を含んだ文書ファイルを記憶する文書ファイル記憶部と、前記文書ファイル記憶部に記憶される文書ファイルから当該文書ファイルに含まれる単語を抽出し、抽出した単語のうち前記秘匿単語記憶部に記憶されている秘匿単語と異なる単語を新たな秘匿単語として前記秘匿単語記憶部に記憶する秘匿単語登録部とを備える文書秘匿システムによって実行する文書秘匿方法であって、
閲覧ファイル取得部が、特定の文書ファイルを閲覧ファイルとして前記文書ファイル記憶部から取得し、
秘匿ファイル生成部が、前記閲覧ファイル取得部によって取得された閲覧ファイルに含まれる単語のうち前記秘匿単語記憶部に記憶されている秘匿単語と同じ単語を秘匿して秘匿ファイルを生成し、
秘匿ファイル出力部が、前記秘匿ファイル生成部によって生成された秘匿ファイルを出力する
ことを特徴とする文書秘匿方法。
【請求項２２】
秘匿される秘匿単語を記憶する秘匿単語記憶部を備える文書秘匿装置によって実行する文書秘匿方法であって、
秘匿単語登録部が、文書ファイルから前記文書ファイルに含まれる単語を抽出し、抽出した単語のうち前記秘匿単語記憶部に記憶されている秘匿単語と異なる単語を新たな秘匿単語として前記秘匿単語記憶部に記憶する
ことを特徴とする文書秘匿方法。